(57)【特許請求の範囲】
【請求項１】
少なくとも、受信した回覧転送情報を、該回覧転送情報により示される転送先に転送する制御を行う制御手段を備えるファクシミリ装置において、
さらに、送信側ＦＡＸから画像データ信号より前に送信される送信側ＦＡＸの性能を示す信号であるＤＣＳの受信の有無に基づいて、上記回覧転送情報が受信できない回覧エラーの発生の有無を判定する回覧エラー判定手段を備えており、
上記回覧エラー判定手段にて回覧エラーが発生したと判断された場合には、上記制御手段は、上記回覧転送情報の回覧元に対してポーリングにより該回覧転送情報の直接送信を要請する制御を行うことを特徴とするファクシミリ装置。
【請求項２】
さらに、上記制御手段は、ポーリングにより回覧元から直接得られた上記回覧転送情報を、該回覧転送情報により示される転送先に転送する制御を行うことを特徴とする請求項１記載のファクシミリ装置。
【請求項３】
上記回覧転送情報には、回覧用情報を付加した回覧画像および回覧先登録用情報の少なくとも一方が含まれており、
上記回覧先登録用情報は、回覧用情報の生成に必要なデータを有する回覧先情報を含んでいることを特徴とする請求項１または２記載のファクシミリ装置。
【請求項４】
さらに、上記回覧先登録用情報を受信したときには、回覧先登録用情報から回覧先情報を取り出して記憶する記憶手段と、
回覧画像の回覧の起点となるときには、上記記憶手段によって記憶された回覧先情報に基づいて回覧用情報を生成する回覧用情報生成手段とを備えており、
回覧先登録用情報を受信したときには、受信した回覧先登録用情報により示される転送先に回覧先登録用情報を転送することを特徴とする請求項３記載のファクシミリ装置。
【発明の詳細な説明】
【０００１】
【発明の属する技術分野】
本発明は、回覧用情報が付加された回覧画像を受信した時に、受信した回覧画像を回覧用情報により示される転送先に転送する回覧転送機能を備えたファクシミリ装置に関するものである。
【０００２】
【従来の技術】
従来、ある特定の送信元のファクシミリ装置が複数の送信先のファクシミリ装置に同一の画像情報を送信する場合、送信元のファクシミリ装置の通信コストが増大することを回避するために、回覧転送機能を備えたファクシミリ装置が提案されている。回覧転送機能を有するファクシミリ装置（以下、回覧ファクシミリと略す）としては、たとえば、特開平７−１１１５７５号公報において開示された技術がある。この技術を、回覧元を含めた４台のファクシミリ装置に適用して回覧転送を行う場合について説明する。
【０００３】
回覧元のファクシミリ装置は、回覧しようとする画像情報と回覧宛先リスト情報とを、自らを除いた３台のファクシミリ装置のうちの１台（回覧先）に送信する。なお、回覧宛先リスト情報には、自らを含めた４台のファクシミリ装置のファクシミリ番号が示される。そして、上記画像情報と回覧宛先リスト情報とを受信したファクシミリ装置は、受信した回覧宛先リスト情報にリストされたファクシミリ装置のうち、画像情報が送信されていないファクシミリ装置（回覧先）に、受信した画像情報と回覧宛先リスト情報とを送信する。
【０００４】
すなわち、上記構成では、回覧先のファクシミリ装置の各々が、受信した画像情報および回覧宛先リスト情報を、さらに次の回覧先となるファクシミリ装置に順次転送するようになっている。このため、画像情報の回覧における通信コストの負担が、それぞれのファクシミリ装置において、ほぼ等しくなるように分担される。
【０００５】
ここで、通信エラーの発生により、送信側のファクシミリ装置から受信側のファクシミリ装置に対して画像情報が送信されないか、または送信側のファクシミリ装置で送信しても受信側のファクシミリ装置で画像情報を受信できないような事態が発生する場合がある。上記のような回覧転送機能を有する回覧ファクシミリ装置では、上記のような通信エラーが発生した場合には、通常、送信側のファクシミリ装置から受信側のファクシミリ装置に対して画像が再送されるようになっている。なお、これを通常手法とする。
【０００６】
さらに、回覧ファクシミリ装置における一規格には、上記通信エラーが発生した場合に、そのファクシミリ装置から回覧元のファクシミリ装置に対して通信エラーが発生したことを通知するようになっている手法（回覧元エラー通知手法とする）もある。
【０００７】
たとえば、図１２に示すように、Ａ・Ｂ・Ｃ・Ｄの４つのファクシミリ装置において、ファクシミリ装置Ａが回覧元であり、ファクシミリ装置Ａから画像情報の回覧が開始されたとする。ここで、ファクシミリ装置Ｂ−Ｃ間で通信エラーが発生したとすると、ファクシミリ装置Ｂでは、回覧元へエラーレポートを返信するか、エラーの通知を行う（図中点線の矢印）。エラーレポートまたはエラーの通知を受信した回覧元のファクシミリ装置Ａでは、ファクシミリ装置ＣまたはＤに対して上記画像情報を改めて再送する（図中破線の矢印）。その後、画像情報がファクシミリ装置Ａに送信されて回覧が終了する。
【０００８】
この回覧元エラー通知手法では、通信エラーの発生したファクシミリ装置Ｂ−Ｃ間での送受信に確実に対応するために、送信側のファクシミリ装置Ｂと受信側のファクシミリ装置Ｃとの状況をそれぞれ回覧元のファクシミリ装置Ａが確認するようになっている。
【０００９】
上述したように、通信エラーには、▲１▼送信側のファクシミリ装置から受信側のファクシミリ装置に対して画像情報が送信されない場合と、▲２▼送信側のファクシミリ装置で送信しても受信側のファクシミリ装置で画像情報を受信できないような場合とがある。
【００１０】
そこでたとえば、上記▲１▼の場合、すなわち送信側のファクシミリ装置Ｂで送信に失敗したような場合には、回覧元のファクシミリ装置Ａが受信側のファクシミリ装置Ｃに対して受信できたか否かを確認し、受信できなかった場合にはファクシミリ装置Ｃに対して画像情報を回覧をするようになっている。また上記▲２▼の場合、すなわち送信先のファクシミリ装置Ｂは送信できたと判定しても受信側のファクシミリ装置Ｃで受信できなかった場合には、Ａ−Ｄ−Ｃと逆順に回覧が可能かを確認してからファクシミリ装置Ｃに対して画像情報を回覧するようになっている。
【００１１】
【発明が解決しようとする課題】
ところが、上記従来の構成では、以下に示す問題が生じる。すなわち、従来の技術では、上記回覧転送の通信網に属するファクシミリ装置の各々の間で、通信に何らかの不備があった状態である「通信エラー」が発生した場合に対処するようになっている。したがって、従来の技術では、回覧そのものができなかったという「回覧エラー」を判定するようにはなっておらず、それゆえ上記通信エラーの発生に基づく対処しかできないようになっている。
【００１２】
具体的には、まず上記通常手法、すなわち通信エラーが発生した場合、送信側が受信側に対して画像情報を再送する手法では、▲２▼の場合のように、通信エラーにより受信側で画像情報が受信できていない状況であればこの手法でも問題はない。しかしながら、▲１▼の場合のように、送信側で通信エラーと判断した状況では、受信側で画像情報を受信できていない場合もあるが、受信側で画像情報を正しく受信できる場合もある。
【００１３】
前者の場合は、通信エラーも回覧エラーも発生していることになるが、後者の場合は、通信エラーは発生しても回覧エラーは発生していないことになる。そのため、後者の場合では、受信側のファクシミリ装置に対して画像情報が二重に送信されてしまい、その結果、ファクシミリ回覧網において重複した画像情報が回覧されることになる。
【００１４】
これに対して、上記回覧元エラー通知手法では、▲１▼の場合でも▲２▼の場合でも、回覧元のファクシミリ装置Ａが、通信エラーの通知に基づいて、通信エラーの発生したファクシミリ装置ＢおよびＣそれぞれに対して送受信の状況を確認することになる。そのため、上記通常手法のように、重複した画像情報が回覧されるような事態は回避できる。
【００１５】
しかしながら、上記回覧元エラー通知手法でも、ファクシミリ装置の間の「通信エラー」に基づいて対応するようになっている。そのため通信エラーによる回覧停止状態を回復するためには、上記のように、回覧元のファクシミリ装置Ａから通信エラーの発生したファクシミリ装置ＢおよびＣそれぞれに対して送受信の状況を確認（すなわち回覧エラーが発生しているのか否かを確認）しなければならないという煩雑な手順を経る必要がある。
【００１６】
しかも、上記上記回覧元エラー通知手法の構成では、回覧元のファクシミリ装置Ａが、ファクシミリ回覧網全体に対して主導権を有していることになる。そのため、回覧元のファクシミリ装置Ａから、通信エラーの発生したファクシミリ装置ＢおよびＣに対して何らかの対応がとられないと、回覧そのものが停止してしまうという問題点を生じる。
【００１７】
本発明は、上記の問題点を解決するためになされたもので、その目的は、回覧転送時における回覧ができなかったという「回覧エラー」の発生を判定することによって、回覧エラーによる回覧停止状態から迅速かつ確実に復帰するとともに、画像情報の重複回覧などの事態も回避することができるファクシミリ装置を提供することにある。
【００１８】
【課題を解決するための手段】
本発明にかかるファクシミリ装置は、上記の課題を解決するために、少なくとも、受信した回覧転送情報を、該回覧転送情報により示される転送先に転送する制御を行う制御手段を備えるファクシミリ装置において、さらに、上記回覧転送情報が受信できない回覧エラーの発生の有無を判定する回覧エラー判定手段を備えており、上記回覧エラー判定手段にて回覧エラーが発生したと判定された場合には、上記制御手段は、上記回覧転送情報の回覧元に対してポーリングにより該回覧転送情報の直接送信を要請する制御を行うことを特徴としている。
【００１９】
上記構成によれば、回覧エラー判定手段により、回覧転送情報を受信する側で回覧エラーの発生を判定し、制御手段で回覧元に対してポーリングにより上記回覧転送情報の直接送信を要請する制御がなされる。そのため、回覧エラーが発生した場合にのみ、回覧されなかった受信側のファクシミリ装置から回覧の再開についてのアクション（ポーリングによる回覧転送情報の送信要請）が実施されることになる。それゆえ、回覧転送情報の二重回覧や、回覧元の都合による回覧停止状態が継続するような事態を回避して、早急かつ確実に回覧状態に復帰することができる。
【００２０】
本発明にかかるファクシミリ装置は、上記構成に加えて、さらに、上記制御手段が、ポーリングにより回覧元から直接得られた上記回覧転送情報を、該回覧転送情報により示される転送先に転送する制御を行うことを特徴としている。
【００２１】
上記構成によれば、回覧元のファクシミリ装置から受信した回覧転送情報を転送先に転送するという、回覧を継続する制御がなされることになる。それゆえ、回覧グループ内の任意のファクシミリ装置の間で回覧エラーが発生して回覧が停止状態となっても、迅速に回覧の状態に復帰することができる。
【００２２】
本発明にかかるファクシミリ装置は、上記構成に加えて、上記回覧転送情報が、回覧用情報を付加した回覧画像および回覧先登録用情報の少なくとも一方であり、上記回覧先登録用情報が、回覧用情報の生成に必要なデータを有する回覧先情報を含んでいることを特徴としている。
【００２３】
上記構成によれば、通常の回覧に用いられる回覧画像と、回覧先を登録するためと回覧用情報を生成するためとに利用される回覧先登録用情報が回覧転送情報となっている。そのため、これらの少なくとも一方を用いた回覧を確実に実施することができるとともに、回覧エラーにも対処することができる。
【００２４】
本発明にかかるファクシミリ装置は、上記構成に加えて、さらに、上記回覧先登録用情報を受信したときには、回覧先登録用情報から回覧先情報を取り出して記憶する記憶手段と、回覧画像の回覧の起点となるときには、上記記憶手段によって記憶された回覧先情報に基づいて回覧用情報を生成する回覧用情報生成手段とを備えており、回覧先登録用情報を受信したときには、受信した回覧先登録用情報により示される転送先に回覧先登録用情報を転送することを特徴としている。
【００２５】
上記構成によれば、回覧先登録用情報を受信したファクシミリ装置では、回覧用情報が生成可能となる。そのため、回覧グループに属するファクシミリ装置に関するデータを入力するのみで、回覧グループに属するファクシミリ装置の全てを回覧の起点とすることができる。
【００２６】
【発明の実施の形態】
本発明の実施の一形態について図１ないし図１１に基づいて説明すれば、以下の通りである。
【００２７】
本発明にかかるファクシミリ装置は、所定の情報を受信した後に該情報を所定の転送先に転送する回覧転送機能を備えており、上記情報が受信できず「回覧エラー」が発生したと判定された場合に、回覧の起点となる回覧元（回覧開始元）からポーリングにて上記情報を直接受信するものである。また、ポーリングにて上記情報を受信した後には、回覧を継続するようになっている。
【００２８】
本実施の形態では、グループ３（ＧIII)ファクシミリ装置としての機能を備えた装置を例に挙げて説明する。このＧIII ファクシミリ装置としての機能を備える本実施の形態におけるファクシミリ装置の電気的構成を図２に示す。
【００２９】
上記ファクシミリ装置は、図２に示すように、スキャナ部１、印字部２、操作表示部３、画像メモリ４、パラメータメモリ５、網制御装置（ＮＣＵ）６、ＦＡＸモデム７、符号化復号化部（ＤＣＲ）８、制御部９、およびシステムメモリ１０を備えている。
【００３０】
スキャナ部１は、所定の解像度で原稿画像を読み取り、送信用の画像情報を得る。印字部２は、他のファクシミリ装置から受信した画像情報を所定の解像度で記録出力する。また、操作表示部３は、ファクシミリ装置としての各種動作の指示やデータの入力を行うためのものであり、複数の操作キーおよび表示器を備えている。画像メモリ４は、符号化圧縮された画像信号を多頁分に渡って記憶するブロックである。
【００３１】
パラメータメモリ５は、上記ファクシミリ装置に固有な各種の情報を記憶するためのメモリである。また、上記パラメータメモリ５は、回覧画像に付加する回覧用情報を記憶するための回覧用情報記憶部５ａを備えている。
【００３２】
網制御装置６は、本ファクシミリ装置を公衆電話回線に接続するためのものであり、自動発着信機能を備えている。また、ＦＡＸモデム７は、グループ３ファクシミリのモデム機能を実行するためのものであり、伝送手順信号をやりとりするための低速モデム機能（Ｖ．２１モデム）や、主に画像情報（圧縮された画像信号）をやりとりするための高速モデム機能（Ｖ．３４モデム、Ｖ．２９モデム、Ｖ．２７ｔｅｒモデム、等）を備えている。
【００３３】
符号化復号化部８は、送信する画像情報を符号化圧縮するとともに、受信した画像情報（符号化圧縮された画像信号）を復号化することによって、圧縮前の画像信号を復元する。
【００３４】
制御部９は、本ファクシミリ装置の主要動作を制御するものであり、スキャナ１、印字部２、操作表示部３、網制御装置６、ＦＡＸモデム７、符号化復号化部８の動作を制御するとともに、画像メモリ４、パラメータメモリ５、システムメモリ１０へのデータの記憶と読み出しとを行うことによって、回覧転送を含むファクシミリ伝送のための手順処理を行う。
【００３５】
この制御部９は、上記ファクシミリ伝送のための手順処理を行う制御手段としての機能を有するとともに、後述する回覧用情報を生成する回覧用情報生成手段としても機能し、さらに後述するように、回覧転送情報が受信できなかった状態である回覧エラーの判定とポーリングとに関する制御も行うようになっている。特に、上記回覧エラーを判定するために回覧エラー判定部（回覧エラー判定手段）９ａを含んでいる。なお、これら各手段はそれぞれ別個の構成となっていてもよい。
【００３６】
システムメモリ１０は、制御部９により実行される制御プログラムや、制御プログラムを実行するときに必要となる各種のデータの記憶を行うメモリである。また、上記システムメモリ１０は、制御プログラムを実行するときのワークエリアを構成する。
【００３７】
なお、上記スキャナ部１、印字部２、操作表示部３、画像メモリ４、パラメータメモリ５、網制御装置（ＮＣＵ）６、ＦＡＸモデム７、符号化復号化部（ＤＣＲ）８、制御部９、およびシステムメモリ１０は、その全てがシステムバス１２に接続されており、これらの機能部での間のデータ送信は、主に、このシステムバス１２を介して行われる。また、網制御装置６とＦＡＸモデム７とは、直接のデータ送信が可能となるように接続されている。
【００３８】
次に、本実施の形態にかかるファクシミリ装置が送信または受信を行うときの手順を図３を参照して説明する。以下の説明では、送信側のファクシミリ装置（以下では送信側ＦＡＸと称する）と受信側のファクシミリ装置（以下では受信側ＦＡＸと称する）との間でやりとりされる信号について説明する。
【００３９】
まず、送信の開始時には、送信側ＦＡＸは、呼出信号ＣＮＧを受信側ＦＡＸに送信する。受信側ＦＡＸは、呼出信号ＣＮＧを認識すると、着呼応答信号ＣＥＤを送信側ＦＡＸに返送する。また、受信側ＦＡＸは、回覧機能（本実施の形態の機能）や親展機能などのように標準化されてはいないが受信側ＦＡＸにおいて実行可能な機能を示す信号ＮＳＦ、受信側ＦＡＸの電話番号を示す信号ＣＳＩ、伝送速度や最大受信幅などの受信側ＦＡＸの性能を示す信号ＤＩＳを送信側ＦＡＸに返送する。
【００４０】
送信側ＦＡＸは、受信側ＦＡＸからの上記４種の信号（ＣＥＤ，ＮＳＦ，ＣＳＩ，ＤＩＳ）の受信を完了すると、回覧機能や親展機能などのように標準化されてはいないが送信側ＦＡＸにおいて実行可能である機能を示す信号ＮＳＳを受信側ＦＡＸに送信する。また、送信側ＦＡＸは、送信側ＦＡＸの電話番号を示す信号ＴＳＩ，伝送速度や最大受信幅などの送信側ＦＡＸの性能を示す信号ＤＣＳを受信側ＦＡＸに送信する。
【００４１】
さらに、送信側ＦＡＸは、トレーニング信号Ｔｒ、および、トレーニングチェック信号ＴＣＦを、受信側ＦＡＸに送信する。そして、トレーニングが完了すると、受信側ＦＡＸは、受信準備が完了したことを示す信号ＣＦＲを送信側ＦＡＸに返送する。
【００４２】
送信側ＦＡＸは、受信側ＦＡＸより上記信号ＣＦＲを受け取った後には、送信したい画像を示す画像データ信号（画像信号）ＰＩＸを、受信側ＦＡＸに送信する。なお、送信したい画像が複数頁に渡る場合、送信側ＦＡＸは、最初の頁分の画像データ信号ＰＩＸを送信した後、マルチページ信号ＭＰＳを受信側ＦＡＸに送信する。画像データ信号ＰＩＸに続いてマルチページ信号ＭＰＳを受信した受信側ＦＡＸは、メッセージ確認信号ＭＣＦを、送信側ＦＡＸに返送する。
【００４３】
以後、送信側ＦＡＸから受信側ＦＡＸに画像データ信号ＰＩＸとマルチページ信号ＭＰＳとを送信する動作と、受信側ＦＡＸから送信側ＦＡＸにメッセージ確認信号ＭＣＦを返送する動作とが、送信される画像の頁数より１頁分だけ少ない回数分繰り返される。
【００４４】
そして、送信側ＦＡＸは、最終頁の画像を示す画像データ信号ＰＩＸを送信した後には、最終ページ信号ＥＯＰを送信する。最終ページ信号ＥＯＰを受信した受信側ＦＡＸは、メッセージ確認信号ＭＣＦを送信側ＦＡＸに返送する。メッセージ確認信号ＭＣＦを受信した送信側ＦＡＸは、回線クローズ信号ＤＣＮを受信側ＦＡＸに送信し、回線を切断する。
【００４５】
なお、本発明においては、図３に示すように、上記呼出信号ＣＮＧの送信後から回線クローズ信号ＤＣＮの送信前までの間、回覧エラーが発生したか否かが上記回覧エラー判定部９ａ（図２参照）により判定されることになる。この回覧エラーの発生の判定については後述する。
【００４６】
続いて、本実施の形態にかかるファクシミリ装置における回覧転送の機能について、図４を参照して、概略的に説明する。
【００４７】
回覧転送時には、図４に示すように、複数のファクシミリ装置Ｆ１〜Ｆｎによって形成された回覧グループにおいて、このグループに属する任意のファクシミリ装置から回覧グループ内の全てのファクシミリ装置に対し、回覧すべき画像（回覧画像／回覧用画像）が特定の順序で順次転送される。また、本実施の形態では、上記回覧グループは予め構築されているものであり、回覧を開始するファクシミリ装置においては、回覧グループを特定するコード（以下、グループコードと称する）を入力するのみで回覧先のファクシミリのＦＡＸ番号を入力することなく、回覧動作を開始させることが可能である。
【００４８】
ここで、上記回覧グループを構築する時の処理を説明する。回覧グループを構築する時には、最初に、回覧グループを構築しようとする１台のファクシミリ装置（たとえば、ファクシミリ装置Ｆ１）において、回覧先登録用情報が生成される。この回覧先登録用情報には、回覧転送であることを示すコード、グループコード、回覧グループに属するファクシミリ装置Ｆ１〜Ｆｎの全ての電話番号、回覧を開始したファクシミリ装置Ｆ１を示すコード、および回覧順序を示す情報などが含まれる。
【００４９】
回覧元のファクシミリ装置にて生成された回覧先登録用情報は、送信側の非標準機能の信号ＮＳＳに乗せて、回覧グループに属する他のファクシミリ装置Ｆ２〜Ｆｎに順次転送される。また、この回覧先登録用情報を受信したファクシミリ装置においては、自らが回覧の起点となるときに使用する回覧用情報を、回覧先登録用情報から取り出し、内部に記憶する。
【００５０】
すなわち、各ファクシミリ装置Ｆ２〜Ｆｎは、回覧先登録用情報を受信したときには、受信した回覧先登録用情報から回覧用情報を読み取り、読み取った回覧用情報を、パラメータメモリ５内の回覧用情報記憶部５ａに格納する。その後、回覧先登録用情報により示された転送先のファクシミリ装置（Ｆ２〜Ｆｎのうち、回覧先登録用情報が送信されていないファクシミリ装置）に、回覧先登録用情報を送信する。
【００５１】
上記動作が回覧グループを構成するファクシミリ装置Ｆ２〜Ｆｎの全てにおいて実行されたときには、上記回覧先登録用情報は、起点となるファクシミリ装置Ｆ１に送信される。これにより、ファクシミリ装置Ｆ１においては、回覧グループに属するファクシミリ装置Ｆ１〜Ｆｎの全てにおいて、回覧用情報が記憶されたことが確認される。
【００５２】
このため、以後では、ファクシミリ装置Ｆ１〜Ｆｎの全ては、回覧の起点となるときに必要となる回覧用情報を、人手によるデータの入力を行うことなく使用することができる。また、回覧の起点となるファクシミリ装置は、上記回覧用情報を信号ＮＳＳ内のデータとして送信する。
【００５３】
なお、回覧グループを構築するため、回覧先登録用情報の回覧を行うとき、同時に、テスト用の画像である回覧テスト画像を併せて送信することができる。また、回覧テスト画像に代えて、回覧すべき画像である回覧画像を併せて送信することも可能である。
【００５４】
以下に、上記信号ＮＳＳの内容について図５を参照して説明する。
【００５５】
信号ＮＳＳの先頭には、図５に示すように、信号ＮＳＳであることを示すＮＳＳコード、ＣＣＩＴＴメンバーズコード、メーカコードの３種のコードが設定される。また、これらのコードの後には、ＦＩＦ（ファクシミリ・インフォメーション・フィールド）が設定される。そして、上記において述べた非標準的な機能（親展送信や回覧送信）は、このＦＩＦ内のコードとして示される。また、回覧先登録用情報あるいは回覧用情報も、このＦＩＦ内のコードとして示される。
【００５６】
すなわち、ＦＩＦ内のコードとしては、中継送信（他のファクシミリ装置から受信したデータを中継して、さらに他のファクシミリ装置に転送する送信処理、回覧送信も中継送信に含まれる）であることを示すコード、回覧送信であることを示すコード、回覧グループを識別するためのグループコード、回覧転送の起点となるファクシミリ装置（以下では、回覧開始者と称する）の電話番号である回覧開始者番号（たとえば、ファクシミリ装置Ｆ１の電話番号であり、回覧転送が終了したことを、最終的に回覧開始者に戻すために使用される）、および回覧グループに属する全てのファクシミリ装置Ｆ１〜Ｆｎの電話番号（回覧先番号）が設定される。
【００５７】
上記コード構成からなる信号ＮＳＳを受信した場合、ファクシミリ装置Ｆ１〜Ｆｎは、信号ＮＳＳのＦＩＦから回覧用情報（すなわち、グループコード）を抽出し、抽出した回覧用情報をパラメータメモリ５の回覧用情報記憶部５ａに記憶していた回覧用情報と照合する。この照合処理によって、信号ＮＳＳのＦＩＦから抽出した回覧用情報と回覧用情報記憶部５ａに記憶していた回覧用情報とが一致していることが確認された場合には、受信側のファクシミリ装置では正規の回覧要求であると判断し、次のファクシミリ装置に対し回覧転送を行う。
【００５８】
また、上記回覧用情報では、上述のようなグループコード以外に、さらに回覧順序の変更に関する情報を含ませることも可能である。すなわち、回覧転送を行う度に、ＦＩＦの中に、回覧の順序を変更するコードを設定することによって、回覧の順序を変更させることができる。そして、回覧の順序変更を可能とする場合には、回覧における回覧順序の優先度を、回覧の画像の内容に応じて変えることができ、使い勝手が向上することになる。
【００５９】
さらに、回覧転送において、ビジー状態となっているファクシミリ装置があるときには、ビジー状態となっているファクシミリ装置への回覧の順序を、後方の順序に変更することができる。
【００６０】
本発明にかかるファクシミリ装置では、上記回覧用情報が付加された回覧画像、または回覧先登録用情報、あるいはこれら双方が回覧できなかった場合に、受信側のファクシミリ装置で回覧エラーの発生を判定し、その後、回覧元のファクシミリ装置に対してポーリングが実施されるようになっている。
【００６１】
上記回覧エラーの有無の判定は回覧エラー判定部９ａにより実施される。具体的には、上記回覧エラー判定部９ａは、上記回覧画像および／または回覧先登録用情報の受信時に、通信に何らかの不備（通信エラー）が発生し、これにより回覧ができなかった状態を回覧エラーと判定するようになっている。
【００６２】
つまり、上記回覧画像および／または回覧先登録用情報の受信時に上記「通信エラー」が発生すると、受信側のファクシミリ装置では上記回覧画像および／または回覧先登録用情報を正確に受信することができなくなる。そのため、これらの回覧そのものが不可能となり、結果的に回覧ができない状態である「回覧エラー」が発生する。
【００６３】
上記回覧エラーの発生が確認された時点では、上記制御部９では、上記回覧画像および／または回覧先登録用情報の回覧元のファクシミリ装置に対してポーリングにより上記回覧画像および／または回覧先登録用情報の直接送信を要請する制御がなされる。これによって、回覧エラーが発生した場合にのみ、回覧されなかった受信側のファクシミリ装置から回覧の再開についてのアクション（ポーリングによる回覧画像および／または回覧先登録用情報の送信要請）が実施されることになる。それゆえ、回覧画像および／または回覧先登録用情報の二重回覧や、回覧元の都合による回覧停止状態が継続するような事態を回避して、早急かつ確実に回覧状態に復帰することができる。
【００６４】
上記のように従来の回覧でも判定されている通信エラーの発生の有無を回覧エラーの判定に利用すれば、特に複雑な回覧エラーの判定手法を用いなくても、回覧エラーが発生したことを確実かつ適切に判定することができる。
【００６５】
上記回覧エラーの判定と回覧エラーが発生した場合の回覧状態への復帰とについて図１に基づいて説明する。本実施の形態では、図４にて説明した複数のファクシミリ装置からなる上記回覧グループが、図１に示すように、Ｆａ・Ｆｂ・Ｆｃ・Ｆｄの４つのファクシミリ装置からなっている（すなわちＦ１〜Ｆｎにおいてｎ＝４）場合を例に挙げて、回覧画像を回覧する場合について説明する。
【００６６】
回覧元はファクシミリ装置Ｆａであり、ファクシミリ装置Ｆａから回覧画像の回覧が開始されるとし、ファクシミリ装置Ｆｂ−Ｆｃ間で通信エラーが発生したとする。
【００６７】
このとき、上記ファクシミリ装置ＦｂおよびＦｃのうち、受信側のファクシミリ装置Ｆｃは、通信エラーにより送信側のファクシミリ装置Ｆｂから回覧画像を受信できなかったこと（すなわち回覧エラーが発生したこと）を回覧エラー判定部９ａで判定する。そして、この判定結果に基づいて、受信側のファクシミリ装置Ｆｃの制御部９は、回覧元のファクシミリ装置Ｆａに対してポーリング（図中破線）を行うように制御を行う。
【００６８】
ポーリングを受信した回覧元のファクシミリ装置Ｆａでは受信側のファクシミリ装置Ｆｃに対して回覧画像を直接再送する（図中破線）。受信側のファクシミリ装置Ｆｃではこの回覧画像を受信するが、その後、該ファクシミリ装置Ｆｃでは、制御部９によって再度受信した回覧画像を転送先のファクシミリ装置Ｆｄに対して転送するという「回覧」を継続する制御がなされる。それゆえ、ファクシミリ装置Ｆｂ−Ｆｃ間で「回覧エラー」が発生して「回覧」が停止状態となっても、迅速に「回覧」の状態に復帰することができる。
【００６９】
上記の回覧エラーの判定は、回覧画像の回覧だけでなく、上述した回覧先登録用情報の回覧時にも実施可能となっている。なお、上記回覧先登録用情報の回覧において回覧エラーが発生した場合の制御については上記と同様なので説明は省略する。
【００７０】
つまり、本発明では、回覧グループ内で何らかの回覧転送情報が回覧される際に、回覧エラーの有無を判定して、回覧停止状態から回覧状態に早急かつ迅速に復帰するようになっている。
【００７１】
なお、ここでいう回覧転送情報とは、少なくとも上記回覧画像や回覧先登録用情報を指し、これら以外の情報であっても構わない。ただし、この回覧転送情報はファクシミリ装置で受信された後に、該回覧転送情報の転送先を示す情報となっている必要がある。たとえば上記回覧画像には、回覧用情報が転送先を示す情報として付加されているため、転送先を示す情報となっており、回覧先登録用情報は、それ自身が転送先を示す情報となっている。
【００７２】
次に、本発明にかかるファクシミリ装置における送信処理の動作制御について、上記回覧エラー発生の判定とポーリングによる回覧画像の要請とに関わる処理も含めて図６ないし図１１のフローチャートに基づいて説明する。
【００７３】
なお、本実施の形態では、上記送信処理には回覧送信に関する送信処理、回覧先登録用情報に関する送信処理、およびポーリングに関する送信処理が含まれている。ここで、上記回覧送信に関する送信処理とは、回覧グループが構築されている状態での通常の回覧画像の回覧送信であり、回覧先登録用情報に関する送信処理とは、回覧グループを構築する際における回覧先登録用情報を回覧させる送信処理（回覧先登録送信）である。また、本実施の形態におけるファクシミリ装置では、回覧送信と回覧先登録送信とを同時に行うことも可能である。
【００７４】
まず、図６のフローチャートに示す送信処理では、最初に、すでに構築されている回覧グループに対して回覧画像を回覧させるための回覧送信、回覧グループの構築時に回覧先登録用情報を回覧させるための回覧送信、回覧画像と回覧先登録用情報とを同時に回覧させるための回覧送信、およびその他の送信の中の何れの送信処理であるかが判断される（Ｓ１，Ｓ３，Ｓ６）。これは、たとえば、操作パネルの回覧送信キー、回覧先登録送信キーの操作の有無等によって判断することができる。
【００７５】
回覧グループに対する回覧送信である場合（Ｓ１でＹＥＳ）には、送信処理を行うファクシミリ装置において、回覧用情報を付加した信号ＮＳＳを作成し（Ｓ２）、該信号ＮＳＳを用いて回覧送信処理を行う（Ｓ８）。
【００７６】
なお、上記Ｓ２にて作成される信号ＮＳＳにおいて付与される回覧用情報は、上記回覧画像を受信したファクシミリ装置にて照合用に用いられるものであり、該送信処理を行うファクシミリ装置の回覧用情報記憶部５ａに記憶されている回覧用情報が参照される。
【００７７】
また、回覧先登録用情報を回覧させるための送信である場合（Ｓ３でＹＥＳ）には、送信処理を行うファクシミリ装置において、回覧テスト画像（回覧のテストのためにのみ使用される画像）が作成され（Ｓ４）、さらに、必要となる各種のデータが操作表示部３にて入力され、回覧先登録用情報が設定された信号ＮＳＳが作成される（Ｓ５）。上記ファクシミリ装置では、Ｓ５にて作成された信号ＮＳＳを用いて回覧送信処理を行う（Ｓ８）。
【００７８】
また、回覧グループに対する回覧送信と回覧先登録用情報を回覧させるための送信とを同時に行う場合（Ｓ６でＹＥＳ）には、上記Ｓ５と同様の処理にて回覧先登録用情報が設定された信号ＮＳＳが作成され（Ｓ７）、該信号ＮＳＳを用いての回覧画像の回覧送信処理が行われる（Ｓ８）。
【００７９】
また、上記Ｓ６にてＮＯとなる場合には、回覧送信に関する以外の送信処理であるため、送信内容に対応した送信処理が実行される（Ｓ９）。
【００８０】
次に、回覧送信に関する受信処理の主要動作を図７および図８のフローチャートを参照して説明する。
【００８１】
図７に示すように、回覧送信に関する受信処理では、最初に、着信を示す呼出信号ＣＮＧの検出が発生したか否かを判定する（Ｓ１１）。着信が検出されれば（Ｓ１１でＹＥＳ）その着信が検出された受信側ファクシミリ装置（以下、受信側ＦＡＸと略す）は送信側ファクシミリ装置（以下、送信側ＦＡＸと略す）へ着呼応答信号ＣＥＤを返送する（Ｓ１２）。また、受信側ＦＡＸは、信号ＮＳＦ、信号ＣＳＩ、信号ＤＩＳを送信側ＦＡＸへ返送する（Ｓ１３）。
【００８２】
一方、呼出信号ＣＮＧの着信が検出されなければ（Ｓ１１でＮＯ）通信エラーである可能性があるので、制御部９の回覧エラー判定部９ａで通信エラーか否かを判定する（Ｓ３９）。通信エラーでなければ（Ｓ３９でＮＯ）上記信号ＣＮＧの検出の判定を繰り返すが、通信エラーであれば（Ｓ３９でＹＥＳ）回覧エラーが発生したと判定して、後述するポーリング処理を行う（Ｓ４１）。
【００８３】
次いで、送信側ＦＡＸから、信号ＮＳＳ、信号ＴＳＩ、信号ＤＣＳ、トレーニング信号Ｔｒ、および、トレーニングチェック信号ＴＣＦが送信され、受信側ＦＡＸでは、これらの信号を受信したか否かを判定する（Ｓ１４）。なお、上記Ｓ１１〜１４にてやりとりされる各種信号については、図３を参照して既に説明しているため、ここでの詳細な説明は省略する。
【００８４】
ここで受信していないと判定されれば（Ｓ１４でＮＯ）通信エラーである可能性があるので、上記回覧エラー判定部９ａで通信エラーか否かを判定する（Ｓ４０）。通信エラーでなければ（Ｓ４０でＮＯ）上記各信号の受信の判定を繰り返すが、通信エラーであれば（Ｓ４０でＹＥＳ）回覧エラーが発生したと判定して、後述するポーリング処理を行う（Ｓ４１）。
【００８５】
これに対して受信したと判定されれば（Ｓ１４でＹＥＳ）、上記受信側ＦＡＸでは、この受信が、すでに構築されている回覧グループに対する回覧画像の回覧送信における受信（回覧受信）、回覧グループの構築時における回覧先登録用情報の回覧先登録送信における受信（回覧先登録受信）、回覧受信と回覧先登録受信との同時受信、およびその他の受信の中の何れの受信処理であるかが判断される（図７におけるＳ１５、および図８におけるＳ２２，Ｓ３０，Ｓ３８）。なお、この判断は、Ｓ１４において受信した信号ＮＳＳに含まれるコードを解析することによって行われるものであり、たとえば、図５に例示した信号ＮＳＳでは、回覧送信を示すコードが付加されていることから回覧送信における受信であると判断される。
【００８６】
回覧受信である場合（Ｓ１５でＹＥＳ）には、回覧画像のメモリ受信処理を行う（Ｓ１６）。次いで、この受信が回覧開始者における受信である場合（Ｓ１７でＹＥＳ）には、信号ＮＳＳ中に含められた回覧受取情報に基づき、回覧送信結果レポートを印字する（Ｓ１８）。これにより、回覧を開始したユーザが回覧送信の完了を知ることができる。なお、通信エラーが発生したか否かの判定は、上記Ｓ１６のメモリ受信処理内で行われる。
【００８７】
一方、この受信が回覧開始者でない場合（Ｓ１７でＮＯ）には、自機にて回覧受信が終了したことを示すために回覧受取情報を付与した信号ＮＳＳを作成し（Ｓ１９）、該信号ＮＳＳを用いて次のファクシミリ装置へ回覧送信処理を行う（Ｓ２０）。さらに、Ｓ１６にて受信した回覧画像をメモリより読み出して印字する（Ｓ２１）。
【００８８】
図８に示すように、回覧受信ではなく（Ｓ１５でＮＯ、「Ａ」を介して図７のフローチャートから図８のフローチャートに移る）回覧先登録受信である場合（信号ＮＳＳに回覧先登録送信であることを示すコードが付加されている場合：Ｓ２２でＹＥＳ）には、回覧テスト画像のメモリ受信処理を行う（Ｓ２３）。なお、このＳ２３のメモリ受信処理でも回覧エラーが発生したか否かの判定が行われる。
【００８９】
次いで、受信した信号ＮＳＳ中の回覧先登録用情報から回覧用情報を読み取り、パラメータメモリ５の回覧用情報記憶部５ａに記憶する（Ｓ２４）。このとき、受信した回覧先登録用情報に含まれる自機の回線番号を削除し、上記回覧用情報記憶部５ａには、転送先の回線番号として１回線分のみを記憶する。
【００９０】
また、この受信が回覧開始者における受信である場合（Ｓ２５でＹＥＳ）には、信号ＮＳＳ中に含められた回覧受取情報に基づき、回覧先登録送信結果レポートを印宇する（Ｓ２６）。
【００９１】
一方、この受信が回覧開始者でない場合（Ｓ２５でＮＯ）には、自機にて回覧先登録受信が終了したことを示すために回覧用情報の受取情報を付与した信号ＮＳＳを作成する（Ｓ２７）。そして、受信した信号ＮＳＳ中に含まれている回覧先登録用情報に基づき、メモリ受信した回覧テスト画像を上記Ｓ２７で作成した信号ＮＳＳとともに次の転送先に回覧送信する（Ｓ２８）。さらに、画像メモリ４に不要な画像を残さないように、メモリ受信した回覧テスト画像を消去する（Ｓ２９）。
【００９２】
また、回覧受信と回覧先登録受信との同時受信である場合（信号ＮＳＳに回覧送信を示すコードと回覧先登録送信を示すコードとが付加されている場合：Ｓ３０でＹＥＳ）には、メモリ受信処理にて回覧画像・回覧先登録用情報を同時に受信する（Ｓ３１）。このＳ３１のメモリ受信処理でも回覧エラーが発生したか否かの判定が行われる。
【００９３】
次いで、回覧先登録受信時におけるＳ２４と同様に、受信した信号ＮＳＳ中の回覧先登録用情報から回覧用情報を読み取り記憶する（Ｓ３２）。そして、この受信が回覧開始者における受信である場合（Ｓ３３でＹＥＳ）には、信号ＮＳＳ中に含められた回覧受取情報および回覧先登録用情報の受取情報に基づき、回覧送信結果レポートと回覧先登録送信結果レポートとを印字する（Ｓ３４）。
【００９４】
一方、この受信が回覧開始者でない場合には、自機にて回覧受信および回覧先登録受信が終了したことを示すために、回覧受取情報および回覧先登録用情報の受取情報を付与した信号ＮＳＳを作成する（Ｓ３５）。そして、受信した信号ＮＳＳ中に含まれている回覧先登録用情報に基づき、メモリ受信した回覧画像をＳ３５で作成した信号ＮＳＳとともに次の転送先に回覧送信する（Ｓ３６）。次いで、Ｓ３１にてメモリ受信した回覧画像の印字を行う（Ｓ３７）。
【００９５】
また、上記Ｓ３０にてＮＯとなる場合には、回覧送信に関する以外の受信処理であるため、受信内容に対応した受信処理が実行される（Ｓ３８）。
【００９６】
このように本実施の形態のファクシミリ装置では、回覧先登録用情報を受信するのみで、受信したファクシミリ装置では、回覧用情報の作成が可能になる。そのため、回覧グループに属するファクシミリ装置のうちの１台に対して、回覧グループに属するファクシミリ装置に関するデータを入力するのみで、回覧グループに属するファクシミリ装置全てが回覧の起点（回覧開始元）になることができる。
【００９７】
また、回覧先登録用情報を受信したときには、受信した回覧先登録用情報により示される転送先に対して該回覧先登録用情報を転送できるので、回覧先登録用情報は回覧グループ内で順次転送されることになる。それゆえ回覧グループを構築する際の通信コストを分担させることができる。
【００９８】
さらに回覧先登録用情報と回覧画像との双方を同時に受信したときには、これら双方を、回覧先登録用情報により示される転送先に転送することになる。そのため、回覧先登録用情報が回覧される際には、併せて回覧画像も転送されるので、回覧グループの構築と同時に回覧用画像を回覧することができる。
【００９９】
次に、上記Ｓ１６、Ｓ２３、Ｓ３１のメモリ受信処理について図９に示すフローチャートに基づいて説明する。図９に示すメモリ受信処理は、受信側ＦＡＸにおける処理を示すものである。このメモリ受信処理は、図３に示すトレーニングチェック信号ＴＣＦの通信までは終了している状態であり、受信側ＦＡＸから送信側ＦＡＸへ信号ＣＦＲが送出され（Ｓ５１）、受信側ＦＡＸが受信準備完了の状態であることが送信側ＦＡＸへ通知される。上記信号ＣＦＲの送出後、送信側ＦＡＸから受信側ＦＡＸへの画像データ送信が開始され、受信側ＦＡＸはメモリ受信を開始し（Ｓ５２）て受信した画像データをメモリに記憶する。
【０１００】
受信側ＦＡＸにおける画像データの受信が完了すると（信号ＥＯＰの検出：Ｓ５３でＹＥＳ）、受信側ＦＡＸは送信側ＦＡＸへ信号ＭＣＦを送出する（Ｓ５４）。上記信号ＭＣＦを受信した送信側ＦＡＸは回線クローズ信号ＤＣＮを受信側ＦＡＸに返送するので、受信側ＦＡＸでは、該回線クローズ信号ＤＣＮを受信した後（Ｓ５５でＹＥＳ）、回線を切断する（Ｓ５６）。
【０１０１】
一方、受信側ＦＡＸで信号ＥＯＰが検出されないと（Ｓ５３でＮＯ）通信エラーである可能性があるので、上記回覧エラー判定部９ａで通信エラーか否かを判定する（Ｓ５７）。通信エラーでなければ（Ｓ５７でＮＯ）上記信号ＥＯＰの検出の判定を繰り返すが、通信エラーであれば（Ｓ５７でＹＥＳ）回覧エラーが発生したと判定して、後述するポーリング処理を行う（Ｓ５９）。
【０１０２】
同様に、受信側ＦＡＸで回線クローズ信号ＤＣＮを受信しなくても（Ｓ５５でＮＯ）通信エラーである可能性があるので、上記回覧エラー判定部９ａで通信エラーか否かを判定する（Ｓ５８）。通信エラーでなければ（Ｓ５８でＮＯ）上記回線クローズ信号ＤＣＮの検出の判定を繰り返すが、通信エラーであれば（Ｓ５８でＹＥＳ）回覧エラーが発生したと判定して、後述するポーリング処理を行う（Ｓ５９）。
【０１０３】
次に、Ｓ４１、Ｓ５９のポーリング処理について図１０に示すフローチャートに基づいて説明する。図１０に示すポーリング処理も、メモリ受信処理と同様に受信側ＦＡＸにおける処理を示すものである。まず回覧元ファクシミリ装置（以下、回覧元ＦＡＸと略す）の発呼が行われる（Ｓ６１）、すなわち回覧元ＦＡＸは呼出信号ＣＮＧを受信側ＦＡＸに送出する。受信側ＦＡＸは上記呼出信号ＣＮＧを認識すると着呼応答信号ＣＥＤを回覧元ＦＡＸに返送するため、回覧元ＦＡＸでは、信号ＣＥＤの受信（検出）によって着呼応答有りと判断する（Ｓ６２でＹＥＳ）。なお、上記信号ＣＥＤが検出されなければ（Ｓ６２でＮＯ）、該信号ＣＥＤの検出の判定を繰り返す。また、受信側ＦＡＸは、信号ＮＳＦ、信号ＣＳＩ、信号ＤＩＳを回覧元ＦＡＸに返送（送出）するため、回覧元ＦＡＸではこれらの信号を受信する（Ｓ６３）。
【０１０４】
回覧元ＦＡＸでは、受信側ＦＡＸからの上記４種の信号（ＣＥＤ，ＮＳＦ，ＣＳＩ，ＤＩＳ）の受信を完了した後、信号ＤＴＣ（ポーリングを受信した側のＦＡＸの性能を示す信号）を受信側ＦＡＸに送出する（Ｓ６４）。換言すれば、受信側ＦＡＸでは上記４種類の信号を送出した後、回覧元ＦＡＸから送出される信号ＤＴＣを受信する。その後さらに、回覧元ＦＡＸは信号ＤＣＳ，信号Ｔｒ，および信号ＴＣＦを送出する。受信側ＦＡＸでは、これらの信号を受信（Ｓ６５）した後、信号ＣＦＲを回覧元ＦＡＸに送信する（Ｓ６６）。
【０１０５】
その後、回覧元ＦＡＸから受信側ＦＡＸへの画像データ送信が開始され、メモリ受信が開始される（Ｓ６７）。上記画像データ送信が完了すると、回覧元ＦＡＸは最終ページ信号ＥＯＰを受信側ＦＡＸへ送信する。最終ページ信号ＥＯＰを受信した（Ｓ６８でＹＥＳ）受信側ＦＡＸはメッセージ確認信号ＭＣＦを回覧元ＦＡＸに返送する（Ｓ６９）。なお、上記信号ＥＯＰが検出されなければ（Ｓ６８でＮＯ）、該信号ＥＯＰの検出の判定を繰り返す。
【０１０６】
回覧元ＦＡＸでは、上記メッセージ確認信号ＭＣＦを受信した後、回線クローズ信号ＤＣＮを受信側ＦＡＸに送信するので、受信側ＦＡＸで回線クローズ信号ＤＣＮを受信した後（Ｓ７０でＹＥＳ）、回線を切断する（Ｓ７１）。なお、上記信号ＤＣＮが検出されなければ（Ｓ７０でＮＯ）、該信号ＤＣＮの検出の判定を繰り返す。
【０１０７】
次に、上記Ｓ８、Ｓ２０、Ｓ２８、Ｓ３６の回覧送信処理について図１１に示すフローチャートに基づいて説明する。図１１に示す回覧送信処理は送信側ＦＡＸにおける処理を示すものであり、送信側ＦＡＸでは、まず、パラメータメモリ５より次送信先データの読出しが行われ（Ｓ８１）、次送信先の発呼（送信側ＦＡＸが呼出信号ＣＮＧを受信側ＦＡＸに送信）が行われる（Ｓ８２）。
【０１０８】
受信側ＦＡＸは上記呼出信号ＣＮＧを認識すると着呼応答信号ＣＥＤを送信側ＦＡＸに返送するため、送信側ＦＡＸでは、信号ＣＥＤの受信によって着呼応答有りと判断する（Ｓ８３でＹＥＳ）。また、受信側ＦＡＸは、信号ＮＳＦ、信号ＣＳＩ、信号ＤＩＳを送信側ＦＡＸに返送するため、送信側ＦＡＸではこれらの信号を受信する（Ｓ８４）。なお、上記信号ＣＥＤが受信されなければ（Ｓ８３でＮＯ）、該信号ＣＥＤの受信の判定を繰り返す。
【０１０９】
送信側ＦＡＸでは、受信側ＦＡＸからの上記４種の信号（ＣＥＤ，ＮＳＦ，ＣＳＩ，ＤＩＳ）の受信を完了した後、信号ＮＳＳ，信号ＴＳＩ，信号ＤＣＳ，信号Ｔｒ，および信号ＴＣＦを受信側ＦＡＸに送信する（Ｓ８５）。
【０１１０】
その後、送信側ＦＡＸから受信側ＦＡＸへの画像データ送信が開始され、該画像データ送信が完了すると（Ｓ８６でＹＥＳ）、送信側ＦＡＸは最終ページ信号ＥＯＰを受信側ＦＡＸへ送信する（Ｓ８７）。なお、画像データ送信が完了していなければ（Ｓ８６でＮＯ）完了するまで繰り返す。
【０１１１】
そして最終ページ信号ＥＯＰを受信した受信側ＦＡＸはメッセージ確認信号ＭＣＦを送信側ＦＡＸに返送するので、送信側ＦＡＸでは、該メッセージ確認信号ＭＣＦを受信した後（Ｓ８８でＹＥＳ）、回線クローズ信号ＤＣＮを受信側ＦＡＸに送信し（Ｓ８９）、回線を切断する（Ｓ９０）。なお、上記信号ＭＣＦが受信されなければ（Ｓ８８でＮＯ）、該信号ＭＣＦの受信の判定を繰り返す。
【０１１２】
以上にて説明した本実施の形態では、回覧時に受信側のファクシミリ装置で通信エラーを検知した際には、送信側のファクシミリ装置から再度回覧転送情報を送信したり、回覧元のファクシミリ装置が主導権を有する状態で回覧転送情報の送受信がなされるのではなく、受信側のファクシミリ装置がポーリングによって回覧元のファクシミリ装置から回覧転送情報を取得し直すようになっている。
【０１１３】
それゆえ、そのまま回覧を続行しても回覧転送情報が二重に回覧されることがなく、また、回覧元の都合で回覧が停止するような事態も回避できる。そのため、回覧エラーが発生しても回覧状態を迅速かつ確実に復帰させて、円滑な回覧を継続することが可能になる。
【０１１４】
なお、上述した実施の形態では、回覧エラー判定部が、通信エラー（通信に何らかの不備があった状態）の発生により回覧転送情報が受信できない状態を回覧エラーとして判定している場合を例に挙げたが、回覧エラーの判定手法はこれに限定されるものではない。すなわち、本発明にかかる回覧エラーの判定手法は、回覧転送情報が任意のファクシミリ装置間で回覧できなかっことを判定し、その判定結果に基づいて受信側からポーリングにより回覧元に直接再送を要求することができるような手法となっていればよい。
【０１１５】
【発明の効果】
以上のように、本発明にかかるファクシミリ装置は、回覧転送情報が受信できない回覧エラーの発生の有無を判定する回覧エラー判定手段を備えており、該回覧エラー判定手段にて回覧エラーが発生したと判定された場合には、制御手段が、上記回覧転送情報の回覧元に対してポーリングにより該回覧転送情報の直接送信を要請する制御を行う構成である。
【０１１６】
それゆえ上記構成では、回覧エラーが発生した場合にのみ、回覧されなかった受信側のファクシミリ装置から回覧の再開についてのアクション（ポーリングによる回覧転送情報の送信要請）が実施されることになる。それゆえ、回覧転送情報の二重回覧や、回覧元の都合による回覧停止状態が継続するような事態を回避して、早急かつ確実に回覧状態に復帰することができるという効果を奏する。
【０１１７】
本発明にかかるファクシミリ装置は、上記構成に加えて、さらに、上記制御手段が、ポーリングにより回覧元から直接得られた上記回覧転送情報を、該回覧転送情報により示される転送先に転送する制御を行う構成である。
【０１１８】
それゆえ上記構成では、回覧元のファクシミリ装置から受信した後でも回覧継続の制御がなされる。そのため、回覧グループ内の任意のファクシミリ装置の間で回覧エラーが発生して回覧が停止状態となっても、迅速に回覧の状態に復帰することができるという効果を奏する。
【０１１９】
本発明にかかるファクシミリ装置は、上記構成に加えて、上記回覧転送情報が、回覧用情報を付加した回覧画像および回覧先登録用情報の少なくとも一方であり、上記回覧先登録用情報が、回覧用情報の生成に必要なデータを有する回覧先情報を含んでいる構成である。
【０１２０】
それゆえ上記構成では、通常の回覧に用いられる回覧画像と、回覧用情報を生成するためにも利用される回覧先登録用情報が回覧転送情報となっている。そのため、これらの少なくとも一方を用いた回覧を確実に実施することができるとともに、回覧エラーにも対処することができるという効果を奏する。
【０１２１】
本発明にかかるファクシミリ装置は、上記構成に加えて、さらに、上記回覧先登録用情報を受信したときには、回覧先登録用情報から回覧先情報を取り出して記憶する記憶手段と、回覧画像の回覧の起点となるときには、上記記憶手段によって記憶された回覧先情報に基づいて回覧用情報を生成する回覧用情報生成手段とを備えており、回覧先登録用情報を受信したときには、受信した回覧先登録用情報により示される転送先に回覧先登録用情報を転送する構成である。
【０１２２】
それゆえ上記構成では、回覧先登録用情報を受信したファクシミリ装置において回覧用情報が生成可能となるため、回覧グループに属するファクシミリ装置に関するデータを入力するのみで、回覧グループに属するファクシミリ装置の全てを回覧の起点とすることができるという効果を奏する。
【図面の簡単な説明】
【図１】本発明にかかるファクシミリ装置が回覧グループを構成している場合に、該ファクシミリ装置による回覧エラーの発生した状態から回覧状態に復帰するための動作を模式的に示す説明図である。
【図２】本発明の一実施形態を示すものであり、ファクシミリ装置の概略構成を示すブロック図である。
【図３】上記ファクシミリ装置における通信時の信号の伝達手順を示す説明図である。
【図４】上記ファクシミリ装置における回覧転送の概略を示す説明図である。
【図５】上記ファクシミリ装置の通信時に用いられる信号ＮＳＳの構成を示す説明図である。
【図６】本発明のファクシミリ装置における回覧送信または回覧先登録送信に関する送信処理の主要動作を示すフローチャートである。
【図７】本発明のファクシミリ装置における回覧送信または回覧先登録送信に関する受信処理の主要動作を示すフローチャートである。
【図８】図７とともに、本発明のファクシミリ装置における回覧送信または回覧先登録送信に関する送信処理の主要動作を示すフローチャートである。
【図９】図７・図８内のメモリ受信処理を示すフローチャートである。
【図１０】図７・図９内のポーリング処理を示すフローチャートである。
【図１１】図６〜図８内の回覧送信処理を示すフローチャートである。
【図１２】従来のファクシミリ装置が回覧グループを構成している場合に、該ファクシミリ装置による回覧エラーの発生した状態に対応する動作を模式的に示す説明図である。
【符号の説明】
６    網制御装置（受信手段、送信手段）
７    ＦＡＸモデム（受信手段、送信手段）
９    制御部（制御手段・回覧用情報生成手段）
９ａ  回覧エラー判定部（回覧エラー判定手段）
【図１】
0003645174.tif 000002
【図２】
0003645174.tif 000003
【図３】
0003645174.tif 000004
【図４】
0003645174.tif 000005
【図５】
0003645174.tif 000006
【図６】
0003645174.tif 000007
【図７】
0003645174.tif 000008
【図８】
0003645174.tif 000009
【図９】
0003645174.tif 000010
【図１０】
0003645174.tif 000011
【図１１】
0003645174.tif 000012
【図１２】
0003645174.tif 000013